(57)【要約】      （修正有）【課題】様々な視聴者に対してより適切な情報を伝える情報出力装置を提供する。【解決手段】複数言語を併記した呼掛け画像Ｇｃおよび言語別の英語呼掛け音声Ｓｃ（ｅｇ）と日本語呼掛け音声Ｓｃ（ｊｐ）とを再生する。そして、前記英語呼掛け音声Ｓｃ（ｅｇ）に引き付けられて装置本体に接近してきた人物ＨＬを人感センサ１４Ｌで検知し、撮像部１５Ｌで人物を撮影して、使用言語が英語であると推定する。前記日本語呼掛け音声Ｓｃ（ｊｐ）に引き付けられて装置本体に接近してきた人物ＨＲを人感センサ１４Ｒで検知して、撮像部１５Ｒで人物を撮影して、使用言語が日本語であると推定する。この後、前記人物ＨＬが商品説明に興味を示すなどして装置本体の正面に接近した場合は、使用言語を推定したときに撮影した人物ＨＬと同一人物であることを人物画像の比較により判断して再生言語を英語と決定し、言語別広告動画コンテンツ（英語）を再生する。【選択図】図１
2017054328.tif 000002
【特許請求の範囲】
【請求項１】
複数種類の音声を出力する音声出力手段と、
前記音声出力手段による複数種類の音声の出力に対する人物の反応を検知する反応検知手段と、
前記反応検知手段により検知された人物の反応に基づいて、音声の種類を決定する音声決定手段と、
を備えたことを特徴とする情報出力装置。
【請求項２】
前記音声出力手段は、複数種類の音声をスピーカから出力し、
前記反応検知手段は、前記スピーカに対する人物の接近を検知する接近検知手段を有し、
前記音声決定手段は、前記接近検知手段により人物の接近が検知されたときに前記スピーカから出力されている音声の種類を、出力対象の情報を構成する音声の種類として決定する、
ことを特徴とする請求項１に記載の情報出力装置。
【請求項３】
前記情報を出力する方向から接近する人物を検知する出力方向接近検知手段と、
前記出力方向接近検知手段により接近する人物が検知された場合に、前記音声決定手段により決定された音声の種類に基づき構成された情報を出力する情報出力手段と、
を備えたことを特徴とする請求項２に記載の情報出力装置。
【請求項４】
前記接近検知手段により前記スピーカに対する人物の接近が検知された場合に当該人物を撮影した人物画像と前記出力方向接近検知手段により前記情報を出力する方向から接近する人物が検知された場合に当該人物を撮影した人物画像とを比較して当該各人物画像が同一人物であるかを判断する同一人物判断手段を備え、
前記情報出力手段は、前記同一人物判断手段により前記各人物画像が同一人物であると判断された場合に、前記音声決定手段により決定された音声の種類に基づき構成された情報を出力する、
ことを特徴とする請求項３に記載の情報出力装置。
【請求項５】
前記複数種類の音声は複数種類の言語の音声であり、当該音声の種類は言語の種類である、
ことを特徴とする請求項１ないし請求項４の何れか１項に記載の情報出力装置。
【請求項６】
出力対象の情報は、前記音声決定手段により決定された言語の種類に基づき構成された画像情報と音声情報を含む、
ことを特徴とする請求項５に記載の情報出力装置。
【請求項７】
複数種類の音声を出力し、
前記複数種類の音声の出力に対する人物の反応を検知し、
前記検知された人物の反応に基づいて、音声の種類を決定する、
ことを特徴とする情報出力方法。
【請求項８】
コンピュータを、
複数種類の音声を出力する音声出力手段と、
前記音声出力手段による複数種類の音声の出力に対する人物の反応を検知する反応検知手段と、
前記反応検知手段により検知された人物の反応に基づいて、音声の種類を決定する音声決定手段、
として機能させるためのコンピュータ読み込み可能なプログラム。
【発明の詳細な説明】
【技術分野】
【０００１】
本発明は、情報出力装置、情報出力方法、及びその制御プログラムに関する。
【背景技術】
【０００２】
従来、閲覧者に対し、印象を高めることができる映像出力装置搭載機器等を提供するべく、画像コンテンツの輪郭の形状に形成されたスクリーンに投影するようにした技術が各種提案されている（例えば、特許文献１参照。）。
【先行技術文献】
【特許文献】
【０００３】
【特許文献１】特開２０１１−１５０２２１号公報
【発明の概要】
【発明が解決しようとする課題】
【０００４】
前記従来の映像出力装置搭載機器等では、様々な視聴者に対して、各種商品の紹介等を行なう画像コンテンツを一方的に出力するものであった。
【０００５】
様々な視聴者に対してより適切な情報を伝えるための工夫が望まれる。
【０００６】
本発明は、このような課題に鑑みなされたもので、様々な視聴者に対してより適切な情報を伝えることが可能になる情報出力装置、情報出力方法、及びその制御プログラムを提供することを目的とする。
【課題を解決するための手段】
【０００７】
本発明に係る情報出力装置は、複数種類の音声を出力する音声出力手段と、前記音声出力手段による複数種類の音声の出力に対する人物の反応を検知する反応検知手段と、前記反応検知手段により検知された人物の反応に基づいて、音声の種類を決定する音声決定手段と、を備えたことを特徴としている。
【発明の効果】
【０００８】
本発明によれば、様々な視聴者に対してより適切な情報を伝えることが可能になる。
【図面の簡単な説明】
【０００９】
【図１】本発明の情報出力装置の実施形態に係るサイネージ装置１０の外観構成を示す図。
【図２】前記サイネージ装置１０の電子回路の機能構成を示すブロック図。
【図３】前記サイネージ装置１０のコンテンツメモリ２０に記憶される動画コンテンツの一例を示す図。
【図４】前記サイネージ装置１０のメインメモリ２７に確保された接近人物認識データエリア２７ａと正面人物画像データエリア２７ｂに記憶されるデータの内容を示す図。
【図５】前記サイネージ装置１０で実行される動画コンテンツの再生に係る動作を示すフローチャート。
【図６】前記サイネージ装置１０の言語別広告動画コンテンツ（日本語／英語）２０ａ（ｊｐ／ｅｇ）の再生動作に従った広告画像Ｇａ（ｊｐ／ｅｇ）と広告音声Ｓａ（ｊｐ／ｅｇ）の出力状態を示す図。
【発明を実施するための形態】
【００１０】
以下図面により本発明の実施の形態について説明する。
【００１１】
図１は、本発明の情報出力装置の実施形態に係るサイネージ装置１０の外観構成を示す図である。
【００１２】
このサイネージ装置１０は、プロジェクタ技術を用いた電子マネキンであり、例えば商業施設の店頭に設置される。
【００１３】
このサイネージ装置１０は、装置本体に内蔵されたリアプロジェクション方式の投影部１１により背面側から画像が投影されて表示されるスクリーンパネル１２を備え、当該スクリーンパネル１２には、商品説明員等の広告モデルＭを含む画像（周囲の人物ＨＬ，ＨＲに呼びかける呼掛け画像Ｇｃや視聴者に伝えたい広告画像Ｇａ（図６参照）など）が投影されて表示される。
【００１４】
また、このサイネージ装置１０は、装置本体の左右に向けたスピーカ１３Ｌ，１３Ｒを備え、当該スピーカ１３Ｌ，１３Ｒからは、前記スクリーンパネル１２に投影される画像（呼掛け画像Ｇｃや広告画像Ｇａなど）に応じた音声（呼掛け音声Ｓｃや広告音声Ｓａ（図６参照）など）が出力される。
【００１５】
前記呼掛け画像Ｇｃは、複数種類の言語のテキスト（ここでは、日本語「こんにちは…」と英語「Ｈｅｌｌｏ…」）を併記して様々な使用言語の人物に広く呼び掛ける画像として生成され、当該呼掛け画像Ｇｃに応じた呼掛け音声Ｓｃは、前記複数種類の言語別に異なるスピーカ（ここでは、前記左右のスピーカ１３Ｌ，１３Ｒ）から別々に呼び掛ける音声（ここでは、英語呼掛け音声Ｓｃ（ｅｇ）と日本語呼掛け音声Ｓｃ（ｊｐ））として生成される。
【００１６】
前記呼掛け画像Ｇｃと呼掛け音声Ｓｃ（英語呼掛け音声Ｓｃ（ｅｇ），日本語呼掛け音声Ｓｃ（ｊｐ））は、１つの呼掛け動画コンテンツに編集されて再生される。
【００１７】
また、前記広告画像Ｇａ（図６参照）は、言語別に視聴者に宣伝する画像（ここでは、英語広告画像Ｇａ（ｅｇ）と日本語広告画像Ｇａ（ｊｐ））として生成され、当該広告画像Ｇａ（Ｇａ（ｅｇ），Ｇａ（ｊｐ））に応じた広告音声Ｓａは、同言語別の広告画像Ｇａ（ｅｇ），Ｇａ（ｊｐ）に対応した英語広告音声Ｓａ（ｅｇ）と日本語広告音声Ｓａ（ｊｐ）として生成される。
【００１８】
前記言語別の広告画像Ｇａ（Ｇａ（ｅｇ），Ｇａ（ｊｐ））と広告音声Ｓａ（Ｓａ（ｅｇ），Ｓａ（ｊｐ））は、当該言語別の広告動画コンテンツ（英語，日本語）に編集されて再生される。
【００１９】
また、前記装置本体の左右に向けたスピーカ１３Ｌ，１３Ｒの各取り付け面には、各対応する方向で装置本体の所定の範囲内に接近した人物ＨＬ，ＨＲを検知する左右人感センサ１４Ｌ，１４Ｒと、当該接近した人物ＨＬ，ＨＲを撮影する左右撮像部１５Ｌ，１５Ｒが設けられる。
【００２０】
さらに、前記装置本体の前面にも、当該装置本体前面の所定の範囲内に接近した人物を検知する正面人感センサ１４Ｆと、同接近した人物を撮影する正面撮像部１５Ｆが設けられる。
【００２１】
そして、前記装置本体の前面パネルには、液晶表示部１６も設けられる。
【００２２】
図２は、前記サイネージ装置１０の電子回路の機能構成を示すブロック図である。
【００２３】
図３は、前記サイネージ装置１０のコンテンツメモリ２０に記憶される動画コンテンツの一例を示す図である。
【００２４】
前記コンテンツメモリ２０には、前記呼掛け動画コンテンツ（日本語／英語）２０ｃや言語別の広告動画コンテンツ（日本語）２０ａ（ｊｐ）、（英語）２０ａ（ｅｇ）のデータが予め複数種類生成されて記憶される。このコンテンツメモリ２０に記憶される複数種類の動画コンテンツのデータは、後述するＣＰＵ２６により選択的に読み出され、システムバスＢＳを介して投影画像駆動部２１に送られる。
【００２５】
この投影画像駆動部２１は、前記システムバスＢＳを介して送られてきた呼掛け画像Ｇｃや広告画像Ｇａのデータに応じて、所定のフォーマットに従ったフレームレート、例えば１２０［フレーム／秒］と色成分の分割数、及び表示階調数を乗算した、より高速な時分割駆動により、表示素子であるマイクロミラー素子２２を表示駆動する。
【００２６】
このマイクロミラー素子２２は、アレイ状に配列された複数個、例えばＷＸＧＡ（横１２８０画素×縦７６８画素）分の微小ミラーの各傾斜角度を個々に高速でオン／オフ動作して表示動作することで、その反射光により光像を形成する。
【００２７】
一方で、光源部２３から時分割でＲ，Ｇ，Ｂの原色光が循環的に出射される。この光源部２３は、半導体発光素子であるＬＥＤを有し、Ｒ，Ｇ，Ｂの原色光を時分割で繰り返し出射する。この光源部２３が有するＬＥＤは、広義でのＬＥＤとして、ＬＤ（半導体レーザ）や有機ＥＬ素子を含むものとしても良い。
【００２８】
また、前記ＬＥＤから出射された光を蛍光体に照射することで励起される、元の光とは波長が異なる原色光を用いるものとしても良い。この光源部２３からの原色光が、ミラー２４で反射して前記マイクロミラー素子２２に照射される。
【００２９】
そして、前記マイクロミラー素子２２での反射光で光像が形成され、当該形成された光像が前記投影部１１を介して前記スクリーンパネル１２の背面側から投射される。
【００３０】
前記投影部１１は、そのレンズ光学系中に合焦位置を可変するフォーカスレンズ、及び投影画角を可変するズームレンズを含む。これらフォーカスレンズ及びズームレンズは、レンズモータ（Ｍ）２５の回動駆動によりレンズ光軸に沿ってそれぞれ移動することで、当該投影部１１の出射する光像の合焦位置、投影画角がそれぞれ変化する。
【００３１】
前記各回路の動作すべてを前記ＣＰＵ２６が制御する。このＣＰＵ２６は、メインメモリ２７及びプログラムメモリ２８と直接接続される。
【００３２】
前記メインメモリ２７は、例えばＳＲＡＭで構成され、前記ＣＰＵ２６のワークメモリとして機能する。
【００３３】
前記プログラムメモリ２８は、電気的書き換え可能な不揮発性メモリ、例えばフラッシュＲＯＭで構成され、前記ＣＰＵ２６が実行する動作プログラムや各種定型データ等を記憶する。前記動作プログラムは、前記撮像部１５Ｌ，１５Ｒ，１５Ｆにより撮影された画像のデータから人物画像を認識するための人物認識プログラム、当該認識された人物画像のデータから顔画像を認識するための顔認識プログラムを含む。
【００３４】
前記ＣＰＵ２６は、前記プログラムメモリ２８に記憶されている動作プログラムや定型データ等を読出し、前記メインメモリ２７に展開して記憶させた上で当該プログラムを実行することにより、本サイネージ装置１０を統括して制御する。
【００３５】
図４は、前記サイネージ装置１０のメインメモリ２７に確保された接近人物認識データエリア２７ａと正面人物画像データエリア２７ｂに記憶されるデータの内容を示す図である。
【００３６】
前記接近人物認識データエリア２７ａには、前記呼掛け動画コンテンツ（英語／日本語）２０ｃの再生中に、前記左右の人感センサ１４Ｌまたは１４Ｒにより装置本体から所定の範囲内に人物ＨＬまたはＨＲが接近したことが検知される毎に、当該左右の撮像部１５Ｌまたは１５Ｒにより撮影されて認識された顔画像１，２，…が、それぞれ当該撮影方向のスピーカ１３Ｌまたは１３Ｒから音声出力されている言語の種別（英語／日本語）を対応付けて記憶される。
【００３７】
前記正面人物画像データエリア２７ｂには、前記正面の人感センサ１４Ｆにより装置本体の正面方向で所定の範囲内に人物が接近したことが検知された際に、当該正面の撮像部１５Ｆにより撮影されて認識された顔画像が記憶される。
【００３８】
前記ＣＰＵ２６は、操作部２９からの操作信号に応じて各種投影動作を実行する。この操作部２９は、サイネージ装置１０の本体に備える、電源キーを含むいくつかの操作キーのキー操作信号を前記ＣＰＵ２６へ送出する。
【００３９】
前記ＣＰＵ２６はさらに、前記システムバスＢＳを介して前記左右の人感センサ１４Ｌ，１４Ｒ、正面の人感センサ１４Ｆ、前記左右の撮像部１５Ｌ，１５Ｒ、正面の撮像部１５Ｆ、音処理部３０、無線ＬＡＮインタフェース（Ｉ／Ｆ）３１と接続される。
【００４０】
前記音処理部３０は、ＰＣＭ音源等の音源回路を備え、投影動作時に前記コンテンツメモリ２０から読み出されるコンテンツデータ中の音声データをアナログ化し、前記スピーカ１３Ｌ，１３Ｒを駆動して放音させ、あるいは必要によりビープ音等を発生させる。
【００４１】
前記無線ＬＡＮインタフェース３１は、無線ＬＡＮアンテナ３２を介して図示しない最寄りの無線ＬＡＮルータと接続し、データの送受を行なうもので、必要により前記コンテンツメモリ２０に記憶すべきコンテンツデータ等を取得する。
【００４２】
このように構成されたサイネージ装置１０は、前記ＣＰＵ２６が前記動作プログラムに記述された命令に従い前記電子回路の各部の動作を制御し、ソフトウエアとハードウエアとが協働して動作することにより、以下の動作説明で述べる情報出力機能を実現する。
【００４３】
次に、前記構成のサイネージ装置１０の動作について説明する。
【００４４】
なお以下に示す動作は、前記サイネージ装置１０のオペレータの操作に対し、前記ＣＰＵ２６が前記プログラムメモリ２８に記憶されている動作プログラムや定型データ等を読出し、前記メインメモリ２７上に展開記憶させた上で実行するものである。
【００４５】
前記プログラムメモリ２８に記憶されている動作プログラム等は、本サイネージ装置１０の工場出荷当時に当該プログラムメモリ２８に記憶されていたものに限らず、適時オペレータの操作により前記無線ＬＡＮインタフェース３１を介して外部からバージョンアップ等のデータをインストールしたもの等も含むものとする。
【００４６】
また、前記コンテンツメモリ２０に記憶されている複数種類の動画コンテンツとして、本実施形態では、商品説明への導入に先立ち様々な言語（ここでは、日本語，英語）の視聴者を引き付けるために再生される呼掛け動画コンテンツ（日本語／英語）２０ｃと、商品説明を前記様々な言語別に行う言語別広告動画コンテンツ（日本語）２０ａ（ｊｐ）と言語別広告動画コンテンツ（英語）２０ａ（ｅｇ）が用意される。
【００４７】
また、説明を容易にするために、前記コンテンツメモリ２０に記憶されている各動画コンテンツのデータは、モーションＪＰＥＧのファイルデータのように、時間的に連続した複数の独立した静止画コンテンツから構成されるものとする。
【００４８】
図５は、前記サイネージ装置１０で実行される動画コンテンツの再生に係る動作を示すフローチャートである。
【００４９】
図６は、前記サイネージ装置１０の言語別広告動画コンテンツ（日本語／英語）２０ａ（ｊｐ／ｅｇ）の再生動作に従った広告画像Ｇａ（ｊｐ／ｅｇ）と広告音声Ｓａ（ｊｐ／ｅｇ）の出力状態を示す図である。
【００５０】
前記ＣＰＵ２６により、前記コンテンツメモリ２０に記憶されている呼掛け動画コンテンツ（日本語／英語）２０ｃが選択され（ステップＳ１）、前記メインメモリ２７に読み込まれる（ステップＳ２）。
【００５１】
すると、前記呼掛け動画コンテンツ（日本語／英語）２０ｃを構成する先頭の静止画像から順次再生が開始され、図１に示すように、日本語と英語を併記した呼掛け画像「こんにちは…」「Ｈｅｌｌｏ…」Ｇｃがスクリーンパネル１２に投影されて表示され、また、当該呼掛け画像Ｇｃに応じた英語呼掛け音声「Ｈｅｌｌｏ…」Ｓｃ（ｅｇ）が左スピーカ１３Ｌから、日本語呼掛け音声「こんにちは…」Ｓｃ（ｊｐ）が右スピーカ１３Ｒから、それぞれその言語別に音声出力される（ステップＳ３）。
【００５２】
このような前記呼掛け動画コンテンツ（日本語／英語）２０ｃの再生中において、英語呼掛け音声Ｓｃ（ｅｇ）が出力されている装置本体左側の人感センサ１４Ｌまたは日本語呼掛け音声Ｓｃ（ｊｐ）が出力されている装置本体右側の人感センサ１４Ｒにより、当該本体左側または本体右側から接近する人物ＨＬまたはＨＲが検知されると（ステップＳ４（Ｙｅｓ））、同人物ＨＬまたはＨＲが検知された方向の撮像部１５Ｌまたは１５Ｒにより、当該人物ＨＬまたはＨＲが撮影される（ステップＳ５）。
【００５３】
そして、前記撮影された人物ＨＬまたはＨＲの画像から顔画像が認識され、当該顔画像と同人物を検知した方向のスピーカ１３Ｌまたは１３Ｒから出力中の呼掛け音声Ｓｃ（ｅｇ）またはＳｃ（ｊｐ）の言語種別とが対応付けられて、前記メインメモリ２７の接近人物認識データエリア２７ａ（図４参照）に記憶される（ステップＳ６）。
【００５４】
すなわち、前記英語呼掛け音声Ｓｃ（ｅｇ）が音声出力されている装置本体の左側から接近してきた人物ＨＬについては、同人物ＨＬの使用言語が英語であると推定し、同人物ＨＬの顔画像とその使用言語の英語とを対応付けて記憶し、また、前記日本語呼掛け音声Ｓｃ（ｊｐ）が音声出力されている装置本体の右側から接近してきた人物ＨＲについては、同人物ＨＲの使用言語が日本語であると推定し、同人物ＨＲの顔画像とその使用言語の日本語とを対応付けて記憶しておく。
【００５５】
この後、前記本体正面の人感センサ１４Ｆにより同正面方向から接近する人物が検知されると（ステップＳ７（Ｙｅｓ））、同正面方向の撮像部１５Ｆにより当該接近する人物が撮影され、この撮影された人物画像から認識された顔画像が前記メインメモリ２７の正面人物画像データエリア２７ｂに記憶される（ステップＳ８）。
【００５６】
すると、前記正面人物画像データエリア２７ｂに記憶された装置本体正面からの接近人物の顔画像と、前記接近人物認識データエリア２７ａに記憶されている装置本体左側または右側からの接近人物の顔画像とが、例えばそのそれぞれの特徴点を抽出して比較され（ステップＳ９）、同一人物の顔画像があるか否かが判断される（ステップＳ１０）。
【００５７】
ここで、前記装置本体正面の人感センサ１４Ｆにより接近人物が検知されない場合（ステップＳ７（Ｎｏ））、または前記装置本体正面の接近人物の顔画像に対し前記接近人物認識データエリア２７ａに記憶されている左側からの接近人物ＨＬの顔画像か右側からの接近人物ＨＲの顔画像が同一人物と判断されない場合（ステップＳ１０（Ｎｏ））は、前記呼掛け動画コンテンツ（日本語／英語）２０ｃの再生に伴う処理が繰り返し実行される（ステップＳ３〜Ｓ６）。
【００５８】
そして、前記装置本体正面の接近人物の顔画像に対し前記接近人物認識データエリア２７ａに記憶されている左側からの接近人物ＨＬの顔画像か右側からの接近人物ＨＲの顔画像が同一人物と判断された場合（ステップＳ１０（Ｙｅｓ））は、当該同一人物と判断された顔画像に対応付けられて前記接近人物認識データエリア２７ａに記憶されている言語種別が、前記装置本体正面の接近人物に対応した再生言語として決定される（ステップＳ１１）。
【００５９】
すなわち、例えば、前記装置本体正面の接近人物の顔画像に対し前記接近人物認識データエリア２７ａ（図４参照）に記憶されている左側からの接近人物ＨＬの「顔画像２」が同一人物と判断された場合は、当該「顔画像２」に対応付けられて記憶されている言語種別の「英語」が、前記装置本体正面の接近人物に対応した再生言語として決定される。
【００６０】
すると、前記決定された再生言語「英語」に従い、前記コンテンツメモリ２０に記憶されている言語別広告動画コンテンツ（英語）２０ａ（ｅｇ）が選択され（ステップＳ１２）、前記メインメモリ２７に読み込まれる（ステップＳ１３）。
【００６１】
すると、前記言語別広告動画コンテンツ（英語）２０ａ（ｅｇ）を構成する先頭の静止画像から順次再生が開始され、図６（Ａ）に示すように、英語で商品説明を行なう英語広告画像「Ｎｅｗ  Ｍｏｄｅｌ！  …」Ｇａ（ｅｇ）がスクリーンパネル１２に投影されて表示され、また、当該英語広告画像Ｇａ（ｅｇ）に応じた英語広告音声「ｎｅｗ  ｍｏｄｅｌ  ｐｒｅｓｅｎｔ  …」Ｓａ（ｅｇ）が左右の両スピーカ１３Ｌ，１３Ｒから音声出力される（ステップＳ１４，Ｓ１５）。
【００６２】
これにより、複数言語を併記した呼掛け画像Ｇｃと英語の呼掛け音声Ｓｃ（ｅｇ）に引き付けられて装置本体に接近してきた人物ＨＬの使用言語を英語と推定し、当該人物ＨＬが商品説明に興味を示すなどして装置本体の正面に接近した場合は、同人物ＨＬが同一人物ＨＬであることを確認して再生言語を英語と決定し、前記言語別広告動画コンテンツ（英語）２０ａ（ｅｇ）を再生することができる。
【００６３】
一方、例えば、前記装置本体正面の接近人物の顔画像に対し前記接近人物認識データエリア２７ａ（図４参照）に記憶されている右側からの接近人物ＨＲの「顔画像４」が同一人物と判断された場合は、当該「顔画像４」に対応付けられて記憶されている言語種別の「日本語」が、前記装置本体正面の接近人物に対応した再生言語として決定される。
【００６４】
すると、前記決定された再生言語「日本語」に従い、前記コンテンツメモリ２０に記憶されている言語別広告動画コンテンツ（日本語）２０ａ（ｊｐ）が選択され（ステップＳ１２）、前記メインメモリ２７に読み込まれる（ステップＳ１３）。
【００６５】
すると、前記言語別広告動画コンテンツ（日本語）２０ａ（ｊｐ）を構成する先頭の静止画像から順次再生が開始され、図６（Ｂ）に示すように、日本語で商品説明を行なう日本語広告画像「新製品！  …」Ｇａ（ｊｐ）がスクリーンパネル１２に投影されて表示され、また、当該日本語広告画像Ｇａ（ｊｐ）に応じた日本語広告音声「新製品を紹介します  …」Ｓａ（ｊｐ）が左右の両スピーカ１３Ｌ，１３Ｒから音声出力される（ステップＳ１４，Ｓ１５）。
【００６６】
これにより、複数言語を併記した呼掛け画像Ｇｃと日本語の呼掛け音声Ｓｃ（ｊｐ）に引き付けられて装置本体に接近してきた人物ＨＲの使用言語を日本語と推定し、当該人物ＨＲが商品説明に興味を示すなどして装置本体の正面に接近した場合は、同人物ＨＲが同一人物ＨＲであることを確認して再生言語を日本語と決定し、前記言語別広告動画コンテンツ（日本語）２０ａ（ｊｐ）を再生することができる。
【００６７】
なお、前記実施形態では、前記呼掛け動画コンテンツ（日本語／英語）２０ｃの再生について、日本語と英語を併記した呼掛け画像Ｇｃをスクリーンパネル１２に投影表示させ、各言語別にした英語呼掛け音声Ｓｃ（ｅｇ）を左スピーカ１３Ｌで、日本語呼掛け音声Ｓｃ（ｊｐ）を右スピーカ１３Ｒで音声出力する構成としたが、２種類の言語に限らず、３種類以上の言語を含めた呼掛け動画コンテンツ２０ｃとして再生してもよい。
【００６８】
すなわち、例えば指向性のより強いスピーカ１３、人感センサ１４、撮像部１５の組み合わせを、装置本体の正面、左右以外にも設けて構成し、各スピーカ１３…からそれぞれ別の種類の言語の呼掛け音声を出力してもよいし、各スピーカ１３…のそれぞれにおいて別の種類の言語の呼掛け音声を時分割で切り替えながら出力する構成としてもよい。
【００６９】
この場合、前記呼掛け動画コンテンツに含めた複数の使用言語に各対応した言語別広告動画コンテンツ２０ａ（ｊｐ）（ｅｇ）…を用意し、前記実施形態同様に、装置本体の正面に接近した人物の使用言語を決定し、当該決定した言語別の広告動画コンテンツ２０ａ（ｊｐ）（ｅｇ）…を選択的に再生すればよい。
【００７０】
また、前記実施形態では、前記呼掛け動画コンテンツ２０ｃを再生し、接近人物を検知して撮影するための前記スピーカ１３、人感センサ１４、撮像部１５の組み合わせを、装置本体の正面以外の方向に向けて当該装置本体と一体に設けて構成したが、各々別体として装置本体と無線または有線で接続して通信し、当該装置本体から離れた場所に設置する構成としてもよい。
【００７１】
さらに、前記実施形態では、複数のスピーカ１３Ｌ，１３Ｒ，…からそれぞれ言語別の呼掛け音声Ｓｃ（ｅｇ），Ｓｃ（ｊｐ），…を音声出力することで、当該各スピーカ１３Ｌ，１３Ｒ，…に接近してきた人物の使用言語を推定する。そして、装置本体の正面に接近した人物が前記使用言語を推定した人物と同一人物である場合に、当該使用言語の言語別広告動画コンテンツ２０ａ（ｅｇ／ｊｐ／…）を選択的に再生する構成とした。これに対し、複数のスピーカ１３…からそれぞれジャンル別の音楽を音声出力することで、当該各スピーカ１３…に接近してきた人物の好みの音楽ジャンルを推定する。そして、装置本体の正面に接近した人物が、前記好みの音楽ジャンルを推定した人物と同一人物である場合に、当該音楽ジャンルのジャンル別広告動画コンテンツ２０ａ（例えば、クラシック／ロック／…）を選択的に再生する構成としてもよい。
【００７２】
また、前記実施形態では、装置本体の正面に接近した人物に対し、接近人物認識データエリア２７ａに記憶されている使用言語を推定した人物と同一であるか否かを判断するのに、各人物の撮影画像から認識した顔画像の特徴点を比較することで同一であるか否かを判断したが、当該撮影画像から認識した人物画像全体の特徴点を比較して同一であるか否かを判断してもよい。
【００７３】
したがって、前記構成のサイネージ装置１０によれば、複数種類の音声をそれぞれ別々の場所あるいは別々の方向あるいは時分割で出力し、当該音声の出力中に同音声の出力元に接近した人物を撮影し、当該撮影した人物画像に前記出力中の音声の種類を対応付けて記憶する。この後、装置本体に接近した人物を撮影し、当該撮影した人物画像について、前記記憶されている人物画像との比較により同一人物と判断された場合は、当該人物画像に対応付けられた音声の種類を、再生すべき広告動画コンテンツの音声の種類として決定する。そして、決定した種類の音声に基づき予め生成した音声種類別の広告動画コンテンツを再生する。
【００７４】
よって、様々な視聴者に対してより適切な情報を伝えることが可能になる。
【００７５】
なお、前記各実施形態において記載したサイネージ装置１０による各処理の手法、すなわち、図５のフローチャートに示す動画コンテンツの再生に係る動作制御処理等の各手法は、何れもコンピュータに実行させることができるプログラムとして、メモリカード（ＲＯＭカード、ＲＡＭカード等）、磁気ディスク（フロッピ（登録商標）ディスク、ハードディスク等）、光ディスク（ＣＤ−ＲＯＭ、ＤＶＤ等）、半導体メモリ等の外部記録装置の媒体に格納して配布することができる。そして、表示装置（１１，１２）や音声出力装置（１３Ｌ，１３Ｒ）、人物検知装置（１４Ｌ，１４Ｒ，１４Ｆ）、撮影装置（１５Ｌ，１５Ｒ，１５Ｆ）を備えた電子機器のコンピュータ（ＣＰＵ）は、この外部記憶装置の媒体に記憶されたプログラムを記憶装置に読み込み、この読み込んだプログラムによって動作が制御されることにより、前記各実施形態において説明したユーザ（接近人物）に応じた適切な情報出力機能を実現し、前述した各手法による同様の処理を実行することができる。
【００７６】
また、前記各手法を実現するためのプログラムのデータは、プログラムコードの形態として通信ネットワーク上を伝送させることができ、この通信ネットワークに接続されたコンピュータ装置（プログラムサーバ）から前記プログラムのデータを表示装置（１１，１２）や音声出力装置（１３Ｌ，１３Ｒ）、人物検知装置（１４Ｌ，１４Ｒ，１４Ｆ）、撮影装置（１５Ｌ，１５Ｒ，１５Ｆ）を備えた電子機器に取り込んで前記同様にユーザに応じた適切な情報出力機能を実現することもできる。
【００７７】
本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【００７８】
以下に、本願出願の当初の特許請求の範囲に記載された発明を付記する。
【００７９】
［１］
複数種類の音声を出力する音声出力手段と、
前記音声出力手段による複数種類の音声の出力に対する人物の反応を検知する反応検知手段と、
前記反応検知手段により検知された人物の反応に基づいて、音声の種類を決定する音声決定手段と、
を備えたことを特徴とする情報出力装置。
【００８０】
［２］
前記音声出力手段は、複数種類の音声をスピーカから出力し、
前記反応検知手段は、前記スピーカに対する人物の接近を検知する接近検知手段を有し、
前記音声決定手段は、前記接近検知手段により人物の接近が検知されたときに前記スピーカから出力されている音声の種類を、出力対象の情報を構成する音声の種類として決定する、
ことを特徴とする［１］に記載の情報出力装置。
【００８１】
［３］
前記情報を出力する方向から接近する人物を検知する出力方向接近検知手段と、
前記出力方向接近検知手段により接近する人物が検知された場合に、前記音声決定手段により決定された音声の種類に基づき構成された情報を出力する情報出力手段と、
を備えたことを特徴とする［２］に記載の情報出力装置。
【００８２】
［４］
前記接近検知手段により前記スピーカに対する人物の接近が検知された場合に当該人物を撮影した人物画像と前記出力方向接近検知手段により前記情報を出力する方向から接近する人物が検知された場合に当該人物を撮影した人物画像とを比較して当該各人物画像が同一人物であるかを判断する同一人物判断手段を備え、
前記情報出力手段は、前記同一人物判断手段により前記各人物画像が同一人物であると判断された場合に、前記音声決定手段により決定された音声の種類に基づき構成された情報を出力する、
ことを特徴とする［３］に記載の情報出力装置。
【００８３】
［５］
前記複数種類の音声は複数種類の言語の音声であり、当該音声の種類は言語の種類である、
ことを特徴とする［１］ないし［４］の何れかに記載の情報出力装置。
【００８４】
［６］
出力対象の情報は、前記音声決定手段により決定された言語の種類に基づき構成された画像情報と音声情報を含む、
ことを特徴とする［５］に記載の情報出力装置。
【００８５】
［７］
複数種類の音声を出力し、
前記複数種類の音声の出力に対する人物の反応を検知し、
前記検知された人物の反応に基づいて、音声の種類を決定する、
ことを特徴とする情報出力方法。
【００８６】
［８］
コンピュータを、
複数種類の音声を出力する音声出力手段と、
前記音声出力手段による複数種類の音声の出力に対する人物の反応を検知する反応検知手段と、
前記反応検知手段により検知された人物の反応に基づいて、音声の種類を決定する音声決定手段、
として機能させるためのコンピュータ読み込み可能なプログラム。
【符号の説明】
【００８７】
１０  …サイネージ装置（情報出力装置）
１１  …投影部
１２  …スクリーンパネル
１３Ｌ，１３Ｒ…スピーカ
１４Ｌ，１４Ｒ，１４Ｆ…人感センサ
１５Ｌ，１５Ｒ，１５Ｆ…撮像部
２０  …コンテンツメモリ
２１  …投影画像駆動部
２２  …マイクロミラー素子
２３  …光源部
２６  …ＣＰＵ
２７  …メインメモリ
２８  …プログラムメモリ
３０  …音処理部
３１  …無線ＬＡＮインタフェース
Ｇｃ  …呼掛け画像
Ｓｃ  …呼掛け音声
Ｇａ  …言語別広告画像
Ｓａ  …言語別広告音声
ＨＬ，ＨＲ…接近人物
【図１】
2017054328.tif 000003
【図２】
2017054328.tif 000004
【図３】
2017054328.tif 000005
【図４】
2017054328.tif 000006
【図５】
2017054328.tif 000007
【図６】
2017054328.tif 000008